(57)【要約】【課題】意図しない開封を減らすことができる易開封袋を、製作簡単な構造で、安価に提供する。【解決手段】易開封袋１は、側端シール部２の端に開封用ノッチ３が設けられている。側端シール部２の内部には、開封用ノッチ３を始端として形成される開封線７に斜めに交差するスリット８が形成されている。スリット８は、開封線７と直交する方向に所定の間隔を置いて、複数のものが互いに平行に配置されている。【選択図】図１
2009078855.tif 000002
【特許請求の範囲】
【請求項１】
側端シール部の縁に開封用ノッチを設けた易開封袋において、
前記開封用ノッチを始端として形成される開封線に斜めに交差するスリットを前記側端シール部内に形成したことを特徴とする易開封袋。
【請求項２】
前記スリットは、前記開封線と直交する方向に所定の間隔を置いて、複数のものが互いに平行に配置されていることを特徴とする請求項１に記載の易開封袋。
【請求項３】
前記易開封袋は袋内方に折り込まれたガゼット部を両側に有するものであり、当該ガゼット部の側端シール部に前記開封用ノッチ及び前記スリットが形成されていることを特徴とする請求項１または２に記載の易開封袋。
【発明の詳細な説明】
【技術分野】
【０００１】
本発明は食品等を入れる易開封袋に関する。
【背景技術】
【０００２】
合成樹脂フィルムやアルミニウム箔等を積層した積層材により、食品等を入れる袋を形成する場合、刃物なしで袋を切り開けるよう、側端シール部の縁に開封用ノッチを設けることがしばしば行われる。その典型的な例を図５、６に示す。
【０００３】
図５に示す易開封袋１は正面形状矩形で、マチのないタイプであり、側端シール部２の縁の一箇所に開封用ノッチ３が形成されている。開封用ノッチ３としてはＩ字状ノッチ、Ｖ字状ノッチ、Ｕ字状ノッチなどが用いられるが、図５のものはＩ字状ノッチ４である。Ｉ字状ノッチ４より下の部分とＩ字状ノッチ４より上の部分を指でつまんで引き離しにかかると、Ｉ字状ノッチ４を始端とする開封線が形成される。開封線は図５に破線で示す開封予定線５に沿って伸長し、最終的には易開封袋１の上端部は開封予定線５を分離線として残りの部分から切り離される。図６の例はＩ字状ノッチ４をＶ字状ノッチ６に変えたものである。
【０００４】
上記のような易開封袋１を形成する積層体は、例えば次のように構成することができる。すなわち、基材層としては２軸延伸ポリプロピレンフィルム、２軸延伸ポリエチレンテレフタレートフィルム、２軸延伸ナイロンフィルム等の２軸延伸フィルムが好適する。中間層としては、上記２軸延伸フィルムの他、ガスバリア性を必要とする用途においては、それらのフィルムに塩化ビニリデン樹脂をコーティングしたフィルム、またはそれらのフィルムに金属蒸着や金属酸化物蒸着を施したフィルムを使用することができる。そして熱接着性樹脂層としては、低密度ポリエチレン、中密度ポリエチレン、線状低密度ポリエチレン、シングルサイト触媒を用いて重合したエチレン−αオレフィン共重合体、エチレン−酢酸ビニル共重合体、ポリプロピレン等の樹脂フィルムや、それらの樹脂フィルムに金属蒸着を施したフィルムを使用することができる。
【０００５】
易開封袋に関する特許文献も種々存在する。例えば特許文献１には、多数の微細な突き刺し孔からなる傷痕群を側端シール部に形成し、この傷痕群から引き裂けるようにした易開封袋が記載されている。特許文献２には、袋の両側に袋の内方に向けてＶ字型に折畳まれた折込部を備えたガゼット袋において、イージーピール方式で開封できるようにしたものが記載されている。
【０００６】
特許文献１に記載されたものは多数の突き刺し孔からなる傷痕群を形成する必要があり、特許文献２に記載されたものはイージーピール性シーラント層を含む積層フィルムで製袋する必要があり、いずれも図５、６のノッチ方式に比べてコストアップにつながりやすいという問題がある。
【特許文献１】特開平１０−１１９９８４号公報
【特許文献２】特開２００６−１９９３３７号公報
【発明の開示】
【発明が解決しようとする課題】
【０００７】
易開封袋は、刃物がなくても切り開けるという特性から、次のような問題を引き起こすことがある。すなわち、図５、６に示したような、側端シール部の縁に開封用ノッチを設けたタイプの易開封袋は、買い物籠や買い物袋に他の食品と共に詰め込んだ場合、取り出しにくいからと言って開封用ノッチより上の部分をつまんで無理に引っ張ったりすると、その時点で開封予定線に沿う開封が生じ、内容物がこぼれてしまうことがある。
【０００８】
本発明は上記の点に鑑みなされたものであり、意図しない開封を減らすことができる易開封袋を、製作簡単な構造で、安価に提供することを目的とする。
【課題を解決するための手段】
【０００９】
上記目的を達成するため本発明では、側端シール部の縁に開封用ノッチを設けた易開封袋において、前記開封用ノッチを始端として形成される開封線に斜めに交差するスリットを前記側端シール部内に形成したことを特徴としている。
【００１０】
この構成によると、開封用ノッチを始端とする開封線が延びて行った場合、開封線はスリットに突き当たった時点で一旦伸長を停止する。開封用ノッチの上下の部分を左右の手指でつまみ、完全に切り開く意図を持って、左右の手指を引き離したり、袋にひねりを加えたりしながら力を加えるときは、開封予定線の方向に開封線が進み、開封予定線に沿った切り離しが行われる。
【００１１】
他方、袋を切り開く意図はなく、開封用ノッチよりも上の部分が引っ張られたのが過誤ないし事故であるときは、開封線は開封予定線の方向ではなく、スリットの端から上方に延びる。このため、内容物が露出してしまうまで袋が開封されることはない。従って、誤って開封が始まってしまっても、内容物をこぼさずに済む。
【００１２】
本発明は、上記構成の易開封袋において、前記スリットは、前記開封線と直交する方向に所定の間隔を置いて、複数のものが互いに平行に配置されていることを特徴としている。
【００１３】
この構成によると、開封線とスリットとの交差を確実に生じさせることができる。
【００１４】
本発明は、上記構成の易開封袋において、易開封袋は袋内方に折り込まれたガゼット部を両側に有するものであり、当該ガゼット部の側端シール部に前記開封用ノッチ及び前記スリットが形成されていることを特徴としている。
【００１５】
元来ガゼット袋は、外側に膨らみやすく他の物品との干渉を生じやすい上、内容積が大きいところから大重量となりがちであり、さらに、側端シール部が各所に分散して存在するところから、側端シール部に設けた開封用ノッチが何かに引っかかりやすく、意図しない開封が発生しやすい。そのガゼット袋を上記のように構成することにより、望んでもいないのに開封してしまうという事態を避けることができる。
【発明の効果】
【００１６】
本発明によると、意図しない開封を袋の側端シール部の中で食い止め、所望しない場所で内容物がこぼれるという事態を回避することができる。
【発明を実施するための最良の形態】
【００１７】
以下、本発明に係る易開封袋の一実施形態を図１〜４に基づき説明する。図１〜３は易開封袋の正面図にして、図１は開封前の状態、図２は開封用ノッチからスリットまで開封線が伸長した状態、図３は開封予定線に沿う切り離しが完了した状態を示すものである。図４は意図しない開封が発生した場合の開封線形成につき説明する部分拡大断面図である。
なお図５に示した従来構造と機能的に共通する要素については図５で用いたのと同じ符号を付し、説明は省略する。
【００１８】
正面形状矩形で、マチのない易開封袋１には、側端シール部２の一箇所に、開封用ノッチ３としてＩ字状ノッチが形成されている。側端シール部２には、開封用ノッチ３を始端として形成される開封線７（図２参照）に斜めに交差するスリット８が形成されている。スリット８は側端シール部２の内部に納まる大きさであり、開封線７と直交する方向に所定の間隔を置いて、複数のものが互いに平行に配置されている。実施形態では３個のスリット８が並び、真ん中のものが開封線７に交差する。このスリット８の端から開封予定線５が延びる。
【００１９】
スリット８を形成する刃物と易開封袋１との位置決めの具合によって、スリット８の位置は多少変動する。スリット８が１個だけの場合、スリット８が開封線７から外れてしまうこともあり得るが、複数のスリット８を、開封線７と直交する方向に所定の間隔を置いて、互いに平行に配置することにより、いずれかのスリット８を確実に開封線７に交差させることができる。開封予定線５は、いずれのスリット８によらず、開封線７に交差したものの端から延びることになる。
【００２０】
易開封袋１の中で、開封用ノッチ３よりも上の部分をつまんで引っ張ると、図２に示すように開封線７が形成される。開封線７はスリット８の方向へ伸長して行く。開封線７がスリット８に達すると、開封線７の伸長は一旦停止する。
【００２１】
易開封袋１を完全に切り開く意図を持った開封の場合は、開封用ノッチ３の上下の部分を左右の手指でつまんでおり、左右の手指を引き離したり、袋にひねりを加えたりしながら力が加えられる。このときは、開封線７が達したスリット８の端に連なる開封予定線５が開封線７に転じ、図３に示すように、易開封袋１の上端部がそれ以外の部分から切り離される。これにより易開封袋１はすっかり開いた状態になる。
【００２２】
他方、易開封袋１を切り開く意図はなく、開封用ノッチ３よりも上の部分が引っ張られたのが過誤ないし事故であるときは、図４に示すように、開封線７が達したスリット８の端から、開封予定線５の方向ではなく、上方に延びる開封線９が生じる。開封線９は上方のスリット８に達して止まる。このため、内容物が露出してしまうまで易開封袋１が開封されることはない。従って、誤って開封が始まってしまっても、内容物をこぼさずに済む。
【００２３】
上記実施形態では易開封袋１の片側にのみ開封用ノッチ３とスリット８を設けたが、両側に対称的に開封用ノッチ３とスリット８を設けてもよい。
【００２４】
易開封袋１の形態として、袋内方に折り込まれたガゼット部を両側に有するガゼット袋の形態を採用することもできる。ガゼット部の側端シール部２に開封用ノッチ３及びスリット８を形成する。
【００２５】
元来ガゼット袋は、外側に膨らみやすく他の物品との干渉を生じやすい上、内容積が大きいところから大重量となりがちであり、さらに、側端シール部が各所に分散して存在するところから、側端シール部に設けた開封用ノッチが何かに引っかかりやすく、意図しない開封が発生しやすい。そのガゼット袋の側端シール部２に開封用ノッチ３及びスリット８を設けることにより、望んでもいないのに開封してしまうという事態を避けることができる。
【００２６】
以上本発明の実施形態につき説明したが、この他、発明の主旨から逸脱しない範囲で種々の改変を加えて実施することができる。
【産業上の利用可能性】
【００２７】
本発明は、食品等を入れる易開封袋に広く利用可能である。
【図面の簡単な説明】
【００２８】
【図１】開封前の状態を示す易開封袋の正面図
【図２】開封用ノッチからスリットまで開封線が伸長した状態を示す易開封袋の正面図
【図３】開封予定線に沿う切り離しが完了した状態を示す易開封袋の正面図
【図４】意図しない開封が発生した場合の開封線形成につき説明する部分拡大断面図
【図５】従来の易開封袋の一例を示す正面図
【図６】従来の易開封袋の他例を示す正面図
【符号の説明】
【００２９】
１    易開封袋
２    側端シール部
３    開封用ノッチ
５    開封予定線
７、９  開封線
８    スリット
【図１】
2009078855.tif 000003
【図２】
2009078855.tif 000004
【図３】
2009078855.tif 000005
【図４】
2009078855.tif 000006
【図５】
2009078855.tif 000007
【図６】
2009078855.tif 000008